(57)【要約】【課題】  傾斜角度に拘わらずディスプレイの保持状態の安定化を図る。【解決手段】  画像を表示する表示面６を有し下端部が接触部５ａとして設けられたディスプレイ２と、載置面１００に載置されると共にディスプレイの接触部が上方から接触されディスプレイを保持する保持部材３と、上端部がディスプレイに取り付けられる上側被取付部１５として設けられ下端部が保持部材に取り付けられる下側被取付部２５として設けられたスタンド４とを設け、スタンドに対するディスプレイのチルト方向における傾斜角度が異なる複数の角度で変更可能とされ、ディスプレイの接触部の保持部材に対する接触位置とスタンドの下側被取付部とが前後に離隔して位置されるようにした。【選択図】        図１３
2012120125.tif 000002
【特許請求の範囲】
【請求項１】
画像を表示する表示面を有し下端部が接触部として設けられたディスプレイと、
載置面に載置されると共に前記ディスプレイの接触部が上方から接触され前記ディスプレイを保持する保持部材と、
上端部が前記ディスプレイに取り付けられる上側被取付部として設けられ下端部が前記保持部材に取り付けられる下側被取付部として設けられたスタンドとを備え、
前記スタンドに対する前記ディスプレイのチルト方向における傾斜角度が異なる複数の角度で変更可能とされ、
前記ディスプレイの接触部の前記保持部材に対する接触位置と前記スタンドの下側被取付部とが前後に離隔して位置された
表示装置。
【請求項２】
前記スタンドに、前記上側被取付部を有するベース板と、前記下側被取付部を有する支持ベースと、前記ベース板と前記支持ベースを連結する角度変更ベースとを設け、
前記角度変更ベースにチルト方向における向きが異なる複数の種類の結合部を設け、
前記複数の結合部が前記ベース板に選択的に結合されることにより前記ディスプレイのチルト方向における傾斜角度が変更されるようにした
請求項１に記載の表示装置。
【請求項３】
前記結合部として第１の結合部と第２の結合部を設けた
請求項２に記載の表示装置。
【請求項４】
前記ベース板が前記角度変更ベースにチルト方向において回動可能に連結された
請求項２に記載の表示装置。
【請求項５】
前記ベース板に支持孔を有する連結用突部が設けられ、
前記角度変更ベースに挿入孔を有する連結部が設けられ、
前記支持孔と前記挿入孔に水平方向に延びる回動軸が挿入されて前記ベース板が前記角度変更ベースにチルト方向において回動可能に連結され、
前記挿入孔が上下に延びる長孔状に形成され、
前記ベース板に結合される前記結合部の種類が変更されるときに前記回動軸の前記挿入孔に対する位置が上下方向において変更されて前記ベース板と前記ディスプレイが一体になって上下方向へ移動されるようにした
請求項４に記載の表示装置。
【請求項６】
前記保持部材として左右に延びる基部と前記基部の左右両端部からそれぞれ前方へ延びる一対の側部とから成る軸状の部材を設け、
前記基部の左右方向における中央部に前記スタンドの下側被取付部が取り付けられる
請求項１に記載の表示装置。
【請求項７】
前記ディスプレイの接触部が前記保持部材に２箇所で接触されるようにした
請求項１に記載の表示装置。
【請求項８】
前記ディスプレイの接触部の前記保持部材に対する接触位置が左右方向において離隔する位置とされた
請求項７に記載の表示装置。
【請求項９】
チルト方向における前記ディスプレイの傾斜角度が、前記表示面が正面を向く０°と前記表示面が正面より上方を向く他の角度とにされた
請求項１に記載の表示装置。
【請求項１０】
前記ディスプレイが水平方向へ回動可能とされた
請求項１に記載の表示装置。
【請求項１１】
前記角度変更ベースが前記支持ベースに水平方向へ回動自在に支持された
請求項１０に記載の表示装置。
【請求項１２】
前記角度変更ベースと前記支持ベースの間に樹脂材料によって形成された摺動板を配置し、
前記ディスプレイの水平方向への回動時に前記角度変更ベースと前記摺動板が前記支持ベースに対して一体になって回動されるようにした
請求項１１に記載の表示装置。
【請求項１３】
前記支持ベースを挟んで前記角度変更ベースの反対側において前記支持ベースに接した状態で配置される回動板を設け、
前記支持ベースを挟んで前記角度変更ベースと前記回動板とを回動支点においてネジ部材によって結合した
請求項１１に記載の表示装置。
【請求項１４】
前記角度変更ベースと前記支持ベースの間に樹脂材料によって形成された摺動板を配置し、
前記回動板を樹脂材料によって形成し、
前記ディスプレイの水平方向への回動時に前記角度変更ベースと前記摺動板と前記回動板が前記支持ベースに対して一体になって回動されるようにした
請求項１３に記載の表示装置。
【請求項１５】
前記ベース板と前記角度変更ベースを閉塞するカバー体を設けた
請求項２に記載の表示装置。
【請求項１６】
前記複数の結合部が変更用取付ネジによって前記ベース板に選択的に結合され、
前記ベース板と前記角度変更ベースを閉塞するカバー体を設け、
前記カバー体に前記変更用取付ネジが挿入可能及び取出可能とされるネジ止め孔を形成した
請求項４に記載の表示装置。
【発明の詳細な説明】
【技術分野】
【０００１】
本発明は表示装置についての技術分野に関する。詳しくは、チルト方向においてディスプレイの傾斜角度が変更可能な構成において、ディスプレイの下面の保持部材に対する接触位置と保持部材に取り付けられるスタンドの下側被取付部とが前後に離隔して位置されるようにして傾斜角度に拘わらずディスプレイの保持状態の安定化を図る技術分野に関する。
【背景技術】
【０００２】
テレビジョン受像器等の表示装置には、ディスプレイがスタンド及び保持部材によって保持されるタイプがある。このようなタイプの表示装置にあっては、例えば、スタンドの下端部が載置面に載置された保持部材に取り付けられスタンドの上端部がディスプレイの背面に取り付けられている（例えば、特許文献１参照）。
【０００３】
従って、ディスプレイは保持部材の上方に位置された状態で保持部材及びスタンドに保持されている。
【０００４】
【特許文献１】特開２００９−５８９１６号公報
【発明の開示】
【発明が解決しようとする課題】
【０００５】
ところが、特許文献１に記載された表示装置にあっては、ディスプレイが保持部材の上方に位置された状態で保持されているため、保持部材においてディスプレイを保持するための支点となる部分はスタンドの下端部と保持部材が結合された部分の一箇所である。
【０００６】
従って、ディスプレイの保持状態が不安定であり、ディスプレイが揺れ動いて表示面に表示される画像のブレが生じたり、スタンドに付与される荷重が大きくスタンドの変形が生じるおそれがある。
【０００７】
また、表示装置にはチルト方向におけるディスプレイの傾斜角度が変更可能とされ、ディスプレイを所望の傾斜角度に保持して表示面に表示される画像を見易い角度に設定することができるタイプがある。
【０００８】
このようなタイプにあっても、ディスプレイのチルト方向における傾斜角度に拘わらずディスプレイの安定した保持状態を確保して画像のブレ等の不具合の発生を防止する必要がある。
【０００９】
そこで、本発明表示装置は、上記した問題点を克服し、傾斜角度に拘わらずディスプレイの保持状態の安定化を図ることを課題とする。
【課題を解決するための手段】
【００１０】
表示装置は、上記した課題を解決するために、画像を表示する表示面を有し下端部が接触部として設けられたディスプレイと、載置面に載置されると共に前記ディスプレイの接触部が上方から接触され前記ディスプレイを保持する保持部材と、上端部が前記ディスプレイに取り付けられる上側被取付部として設けられ下端部が前記保持部材に取り付けられる下側被取付部として設けられたスタンドとを備え、前記スタンドに対する前記ディスプレイのチルト方向における傾斜角度が異なる複数の角度で変更可能とされ、前記ディスプレイの接触部の前記保持部材に対する接触位置と前記スタンドの下側被取付部とが前後に離隔して位置されたものである。
【００１１】
従って、表示装置にあっては、ディスプレイのチルト方向における傾斜角度に拘わらずディスプレイの下面の保持部材に対する接触位置とスタンドの下側被取付部とがディスプレイを支える支点として機能する。
【００１２】
上記した表示装置においては、前記スタンドに、前記上側被取付部を有するベース板と、前記下側被取付部を有する支持ベースと、前記ベース板と前記支持ベースを連結する角度変更ベースとを設け、前記角度変更ベースにチルト方向における向きが異なる複数の種類の結合部を設け、前記複数の結合部が前記ベース板に選択的に結合されることにより前記ディスプレイのチルト方向における傾斜角度が変更されるようにすることが望ましい。
【００１３】
複数の結合部がベース板に選択的に結合されることによりディスプレイのチルト方向における傾斜角度が変更されるようにすることによって、角度変更ベースのベース板に対する結合位置の変更によりディスプレイのチルト方向における傾斜角度が変更される。
【００１４】
上記した表示装置においては、前記結合部として第１の結合部と第２の結合部を設けることが望ましい。
【００１５】
結合部として第１の結合部と第２の結合部を設けることにより、ベース板に対する結合位置を第１の結合部又は第２の結合部に変更することによってディスプレイのチルト方向における傾斜角度が変更される。
【００１６】
上記した表示装置においては、前記ベース板が前記角度変更ベースにチルト方向において回動可能に連結されることが望ましい。
【００１７】
ベース板が角度変更ベースにチルト方向において回動可能に連結されることにより、ディスプレイのチルト方向における傾斜角度の変更時にベース板が角度変更ベースに対して回動される。
【００１８】
上記した表示装置においては、前記ベース板に支持孔を有する連結用突部が設けられ、前記角度変更ベースに挿入孔を有する連結部が設けられ、前記支持孔と前記挿入孔に水平方向に延びる回動軸が挿入されて前記ベース板が前記角度変更ベースにチルト方向において回動可能に連結され、前記挿入孔が上下に延びる長孔状に形成され、前記ベース板に結合される前記結合部の種類が変更されるときに前記回動軸の前記挿入孔に対する位置が上下方向において変更されて前記ベース板と前記ディスプレイが一体になって上下方向へ移動されるようにすることが望ましい。
【００１９】
ベース板に結合される結合部の種類が変更されるときに回動軸の挿入孔に対する位置が上下方向において変更されてベース板とディスプレイが一体になって上下方向へ移動されるようにすることにより、ディスプレイの傾斜角度の変更時にディスプレイが上下方向へ移動される。
【００２０】
上記した表示装置においては、前記保持部材として左右に延びる基部と前記基部の左右両端部からそれぞれ前方へ延びる一対の側部とから成る軸状の部材を設け、前記基部の左右方向における中央部に前記スタンドの下側被取付部が取り付けられることが望ましい。
【００２１】
基部の左右方向における中央部にスタンドの下側被取付部が取り付けられることにより、スタンドの保持部材に対する良好なバランスが確保される。
【００２２】
上記した表示装置においては、前記ディスプレイの接触部が前記保持部材に２箇所で接触されるようにすることが望ましい。
【００２３】
ディスプレイの接触部が保持部材に２箇所で接触されるようにすることにより、スタンドの下側被取付部と合わせてディスプレイが３箇所で支持される。
【００２４】
上記した表示装置においては、前記ディスプレイの接触部の前記保持部材に対する接触位置が左右方向において離隔する位置とされることが望ましい。
【００２５】
ディスプレイの接触部の保持部材に対する接触位置が左右方向において離隔する位置とされることにより、下側被取付部と合わせてディスプレイが三角形の頂点となる３箇所で支持される。
【００２６】
上記した表示装置においては、チルト方向における前記ディスプレイの傾斜角度が、前記表示面が正面を向く０°と前記表示面が正面より上方を向く他の角度とにされることが望ましい。
【００２７】
チルト方向におけるディスプレイの傾斜角度が、表示面が正面を向く０°と表示面が正面より上方を向く他の角度とにされることにより、何れの傾斜角度においても表示面に表示される画像の視認性が向上する。
【００２８】
上記した表示装置においては、前記ディスプレイが水平方向へ回動可能とされることが望ましい。
【００２９】
ディスプレイが水平方向へ回動可能とされることにより、表示面に表示される画像の視認性が高い位置にディスプレイを回動させることが可能になる。
【００３０】
上記した表示装置においては、前記角度変更ベースが前記支持ベースに水平方向へ回動自在に支持されることが望ましい。
【００３１】
角度変更ベースが支持ベースに水平方向へ回動自在に支持されることにより、ディスプレイのチルト方向における傾斜角度の変更と水平方向への回動とが同一の部品である角度変更ベースによって行われる。
【００３２】
上記した表示装置においては、前記角度変更ベースと前記支持ベースの間に樹脂材料によって形成された摺動板を配置し、前記ディスプレイの水平方向への回動時に前記角度変更ベースと前記摺動板が前記支持ベースに対して一体になって回動されるようにすることが望ましい。
【００３３】
ディスプレイの水平方向への回動時に角度変更ベースと摺動板が支持ベースに対して一体になって回動されるようにすることにより、樹脂材料によって形成された摺動板が支持ベースに摺動される。
【００３４】
上記した表示装置においては、前記支持ベースを挟んで前記角度変更ベースの反対側において前記支持ベースに接した状態で配置される回動板を設け、前記支持ベースを挟んで前記角度変更ベースと前記回動板とを回動支点においてネジ部材によって結合することが望ましい。
【００３５】
支持ベースを挟んで角度変更ベースと回動板とを回動支点においてネジ部材によって結合することにより、回動支点においてネジ部材によって角度変更ベースと回動板を結合することによりディスプレイを水平方向へ回動させる回動機構が構成される。
【００３６】
上記した表示装置においては、前記角度変更ベースと前記支持ベースの間に樹脂材料によって形成された摺動板を配置し、前記回動板を樹脂材料によって形成し、前記ディスプレイの水平方向への回動時に前記角度変更ベースと前記摺動板と前記回動板が前記支持ベースに対して一体になって回動されるようにすることが望ましい。
【００３７】
回動板を樹脂材料によって形成し、ディスプレイの水平方向への回動時に角度変更ベースと摺動板と回動板が支持ベースに対して一体になって回動されるようにすることにより、摺動板と回動板が支持ベースに摺動される。
【００３８】
上記した表示装置においては、前記ベース板と前記角度変更ベースを閉塞するカバー体を設けることが望ましい。
【００３９】
ベース板と角度変更ベースを閉塞するカバー体を設けることにより、カバー体の内部への塵埃の侵入量が低減する。
【００４０】
上記した表示装置においては、前記複数の結合部が変更用取付ネジによって前記ベース板に選択的に結合され、前記ベース板と前記角度変更ベースを閉塞するカバー体を設け、前記カバー体に前記変更用取付ネジが挿入可能及び取出可能とされるネジ止め孔を形成することが望ましい。
【００４１】
ベース板と角度変更ベースを閉塞するカバー体を設け、カバー体に変更用取付ネジが挿入可能及び取出可能とされるネジ止め孔を形成することにより、ベース板と角度変更ベースがカバー体に閉塞された状態において、角度変更ベースのベース板に対する結合位置を変更することが可能とされる。
【発明の効果】
【００４２】
本発明表示装置は、画像を表示する表示面を有し下端部が接触部として設けられたディスプレイと、載置面に載置されると共に前記ディスプレイの接触部が上方から接触され前記ディスプレイを保持する保持部材と、上端部が前記ディスプレイに取り付けられる上側被取付部として設けられ下端部が前記保持部材に取り付けられる下側被取付部として設けられたスタンドとを備え、前記スタンドに対する前記ディスプレイのチルト方向における傾斜角度が異なる複数の角度で変更可能とされ、前記ディスプレイの接触部の前記保持部材に対する接触位置と前記スタンドの下側被取付部とが前後に離隔して位置されている。
【００４３】
従って、接触部の保持部材に対する接触位置とスタンドの下側被取付部とが前後に離隔して位置されたディスプレイを支える支点として常に機能し、ディスプレイの傾斜角度に拘わらずディスプレイの保持状態の安定化を図ることができる。
【００４４】
請求項２に記載した発明にあっては、前記スタンドに、前記上側被取付部を有するベース板と、前記下側被取付部を有する支持ベースと、前記ベース板と前記支持ベースを連結する角度変更ベースとを設け、前記角度変更ベースにチルト方向における向きが異なる複数の種類の結合部を設け、前記複数の結合部が前記ベース板に選択的に結合されることにより前記ディスプレイのチルト方向における傾斜角度が変更されるようにしている。
【００４５】
従って、角度変更ベースのベース板に対する結合位置を変更するだけでディスプレイのチルト方向における傾斜角度が変更されるため、ディスプレイの傾斜角度の変更を容易に行うことができる。
【００４６】
請求項３に記載した発明にあっては、前記結合部として第１の結合部と第２の結合部を設けている。
【００４７】
従って、角度変更ベースのベース板に対する結合位置を第１の結合部又は第２の結合部に変更するだけでディスプレイのチルト方向における傾斜角度が変更されるため、ディスプレイの傾斜角度の変更を容易に行うことができる。
【００４８】
請求項４に記載した発明にあっては、前記ベース板が前記角度変更ベースにチルト方向において回動可能に連結されている。
【００４９】
従って、ディスプレイのチルト方向における傾斜角度の変更時においてベース板と角度変更ベースの結合が解除されることがなく、ディスプレイの傾斜角度の変更を容易かつ迅速に行うことができる。
【００５０】
請求項５に記載した発明にあっては、前記ベース板に支持孔を有する連結用突部が設けられ、前記角度変更ベースに挿入孔を有する連結部が設けられ、前記支持孔と前記挿入孔に水平方向に延びる回動軸が挿入されて前記ベース板が前記角度変更ベースにチルト方向において回動可能に連結され、前記挿入孔が上下に延びる長孔状に形成され、前記ベース板に結合される前記結合部の種類が変更されるときに前記回動軸の前記挿入孔に対する位置が上下方向において変更されて前記ベース板と前記ディスプレイが一体になって上下方向へ移動されるようにしている。
【００５１】
従って、ディスプレイの傾斜角度の変更時にベース板とディスプレイが回動軸とともに上下方向へ移動されるため、ディスプレイの傾斜角度に拘わらずディスプレイの接触部を保持部材に確実に接触させることができる。
【００５２】
請求項６に記載した発明にあっては、前記保持部材として左右に延びる基部と前記基部の左右両端部からそれぞれ前方へ延びる一対の側部とから成る軸状の部材を設け、前記基部の左右方向における中央部に前記スタンドの下側被取付部が取り付けられている。
【００５３】
従って、ディスプレイの保持状態の安定化を図ることができる。
【００５４】
請求項７に記載した発明にあっては、前記ディスプレイの接触部が前記保持部材に２箇所で接触されるようにしている。
【００５５】
従って、スタンドの下側被取付部と合わせてディスプレイが３箇所で支持されるため、ディスプレイの保持状態の一層の安定化を図ることができる。
【００５６】
請求項８に記載した発明にあっては、前記ディスプレイの接触部の前記保持部材に対する接触位置が左右方向において離隔する位置とされている。
【００５７】
従って、下側被取付部と合わせてディスプレイが三角形の頂点となる３箇所で支持され、ディスプレイの保持状態の一層の安定化を図ることができる。
【００５８】
請求項９に記載した発明にあっては、チルト方向における前記ディスプレイの傾斜角度が、前記表示面が正面を向く０°と前記表示面が正面より上方を向く他の角度とにされている。
【００５９】
従って、表示面に表示される画像を視認性の高い角度で選択して見ることができる。
【００６０】
請求項１０に記載した発明にあっては、前記ディスプレイが水平方向へ回動可能とされている。
【００６１】
従って、表示面に表示される画像を視認性の高い角度で選択して見ることができる。
【００６２】
請求項１１に記載した発明にあっては、前記角度変更ベースが前記支持ベースに水平方向へ回動自在に支持されている。
【００６３】
従って、ディスプレイのチルト方向における傾斜角度の変更と水平方向への回動とが同一の部品である角度変更ベースによって行われ、部品点数の削減及び機構の簡素化を図ることができる。
【００６４】
請求項１２に記載した発明にあっては、前記角度変更ベースと前記支持ベースの間に樹脂材料によって形成された摺動板を配置し、前記ディスプレイの水平方向への回動時に前記角度変更ベースと前記摺動板が前記支持ベースに対して一体になって回動されるようにしている。
【００６５】
従って、樹脂材料によって形成された摺動板が支持ベースに摺動されるため、摺動板の支持ベースに対する良好な摺動性が確保され、ディスプレイを水平方向へ円滑に回動させることができる。
【００６６】
請求項１３に記載した発明にあっては、前記支持ベースを挟んで前記角度変更ベースの反対側において前記支持ベースに接した状態で配置される回動板を設け、前記支持ベースを挟んで前記角度変更ベースと前記回動板とを回動支点においてネジ部材によって結合している。
【００６７】
従って、回動支点においてネジ部材によって角度変更ベースと回動板を結合することによりディスプレイを水平方向へ回動させる回動機構が構成されるため、回動機構における部品点数の削減及び構成の簡素化を図ることができる。
【００６８】
請求項１４に記載した発明にあっては、前記角度変更ベースと前記支持ベースの間に樹脂材料によって形成された摺動板を配置し、前記回動板を樹脂材料によって形成し、前記ディスプレイの水平方向への回動時に前記角度変更ベースと前記摺動板と前記回動板が前記支持ベースに対して一体になって回動されるようにしている。
【００６９】
従って、摺動板及び回動板の支持ベースに対する良好な摺動性が確保され、ディスプレイを水平方向へ一層円滑に回動させることができる。
【００７０】
請求項１５に記載した発明にあっては、前記ベース板と前記角度変更ベースを閉塞するカバー体を設けている。
【００７１】
従って、ベース板及び角度変更ベースへの塵埃の付着を防止することができる。
【００７２】
請求項１６に記載した発明にあっては、前記複数の結合部が変更用取付ネジによって前記ベース板に選択的に結合され、前記ベース板と前記角度変更ベースを閉塞するカバー体を設け、前記カバー体に前記変更用取付ネジが挿入可能及び取出可能とされるネジ止め孔を形成している。
【００７３】
従って、カバー体をディスプレイから取り外すことなく結合位置の変更を行うことができ、角度変更ベースのベース板に対する結合位置の変更を容易かつ迅速に行うことができる。
【発明を実施するための最良の形態】
【００７４】
以下に、本発明を実施するための最良の形態を添付図面に従って説明する。
【００７５】
以下に示した最良の形態は、本発明表示装置をテレビジョン受像器に適用したものである。尚、本発明の適用範囲はテレビジョン受像器に限られることはなく、例えば、パーソナルコンピューターや電子式写真立て等の画像を表示するディスプレイを有する各種の表示装置に広く適用することができる。
【００７６】
［表示装置の構成］
表示装置１は、図１及び図２に示すように、画像を表示するディスプレイ２と置き台や床等の載置面１００に載置される保持部材３とディスプレイ２を所定の角度で保持するスタンド４とを備えている。
【００７７】
ディスプレイ２は、例えば、横長の前後に扁平な矩形状に形成された筐体５と画像を表示するための前方を向く表示面６とを有している。筐体５の下端部は他の部分より厚みが厚くされた接触部５ａとして設けられている。接触部５ａの下面には良好な滑り性（摺動性）を有する樹脂材料等によって形成された図示しない接触面部が設けられている。
【００７８】
筐体５の背面は左右方向における中央部の下端寄りの部分が取付部５ｂとして形成されている（図３参照）。取付部５ｂには後方に開口された複数のネジ止め穴５ｃ、５ｃ、・・・が形成されている。
【００７９】
保持部材３は、例えば、金属製の丸軸状の部材が所定の形状に屈曲されることにより形成されている（図３及び図４参照）。保持部材３は左右に延びる基部７と基部７の左右両端部からそれぞれ前方へ延びる側部８、８とから成る。
【００８０】
基部７の左右方向における中央部には、図４に示すように、上方に開口されたネジ穴７ａ、７ａが左右に離隔して形成され、ネジ穴７ａ、７ａの間に上方に開口された位置決め穴７ｂが形成されている。
【００８１】
保持部材３の下面における所定の位置には、例えば、ゴム材料等によって形成された接触シート９、９、・・・が貼り付けられている。接触シート９、９、・・・によって保持部材３の載置面１００に対する滑り及びガタツキが防止される。
【００８２】
スタンド４はベース板１０と角度変更ベース１１と支持ベース１２と摺動板１３と回転板１４から成る（図３乃至図５参照）。
【００８３】
ベース板１０は、図６に示すように、略前後方向を向く横長の形状に形成された被取付板部１５と被取付板部１５から後方へ突出された連結用突部１６、１６とが一体に形成されて成る。
【００８４】
被取付部１５はディスプレイ２の取付部５ｂに取り付けられる上側被取付部として設けられ、被取付部１５には前後に貫通され上方に開口されたネジ挿通切欠１５ａ、１５ａと前後に貫通されたネジ挿通孔１５ｂ、１５ｂ、１５ｂとが形成されている。被取付部１５には、上端寄りの位置にそれぞれ前後に貫通された上側螺孔１５ｃ、１５ｃが左右に離隔して形成され、下端寄りの位置にそれぞれ前後に貫通された下側螺孔１５ｄ、１５ｄが左右に離隔して形成されている。
【００８５】
連結用突部１６、１６は左右に離隔して位置され、それぞれ左右に貫通された支持孔１６ａ、１６ａを有している。
【００８６】
角度変更ベース１１は連結面部１７と第１の結合部１８と第２の結合部１９とから成る。
【００８７】
連結面部１７は上下方向を向く板状に形成された被支持面部２０と被支持面部２０の前端部における左右両側縁からそれぞれ上方へ突出された連結部２１、２１とから成る。
【００８８】
被支持面部２０には略中央部に上下に貫通されたボス挿通孔２０ａが形成され、ボス挿通孔２０ａの周囲の位置に上下に貫通された螺孔２０ｂ、２０ｂ、２０ｂが周方向に離隔して形成されている。被支持面部２０は前縁を除く外周縁が円弧状に形成されている。被支持面部２０には螺孔２０ｂ、２０ｂ、２０ｂ間にそれぞれ上下に貫通された位置決め孔２０ｃ、２０ｃが形成されている。
【００８９】
連結部２１、２１にはそれぞれ左右に貫通された挿入孔２１ａ、２１ａが形成されている。挿入孔２１ａ、２１ａは上下に長い長孔状に形成されている。
【００９０】
第１の結合部１８と第２の結合部１９はチルト方向、即ち、左右に延びる軸を支点とした回動方向における向きが異なるように形成されている。
【００９１】
第１の結合部１８は被支持面部２０の前端部から略上方へ突出され前後に貫通された第１の結合孔１８ａ、１８ａを有している。第１の結合孔１８ａ、１８ａは左右に離隔して位置されている。
【００９２】
第１の結合部１８は被支持面部２０が上下方向を向く状態において、垂直方向に対して稍後方へ変位する方向へ傾斜した状態とされている（図７参照）。即ち、被支持面部２０が上下方向を向く状態において、垂直方向Ｈに対して後方に角度α傾斜した状態とされている。角度αは、例えば、６°とされている。
【００９３】
第２の結合部１９は被支持面部２０の前端部から下方へ突出され左右両端部がそれぞれ被支持面部２０より左右に突出した状態とされている（図６参照）。第２の結合部１９には前後に貫通された第２の結合孔１９ａ、１９ａが形成され、第２の結合孔１９ａ、１９ａはそれぞれ第２の結合部１９の左右両端部に位置されている。
【００９４】
ベース板１０は回動軸２２、２２を介して角度変更ベース１１に回動可能に連結されている（図４乃至図６参照）。回動軸２２、２２はそれぞれベース板１０の連結用突部１６、１６に形成された支持孔１６ａ、１６ａと角度変更ベース１１の連結部２１、２１に形成された挿入孔２１ａ、２１ａに挿入され、ベース板１０の角度変更ベース１１に対する回動支点として機能する。
【００９５】
ベース板１０が角度変更ベース１１に回動可能に連結された状態において、ベース板１０は、被取付部１５の後面における上端部が角度変更ベース１１の第１の結合部１８の前面に接する第１の回動位置（図８参照）と被取付部１５の後面における下端部が角度変更ベース１１の第２の結合部１９の前面に接する第２の回動位置（図９参照）との間で回動可能とされる。
【００９６】
ベース板１０の角度変更ベース１１に対する回動時には、上記したように、連結部２１、２１の挿入孔２１ａ、２１ａが上下に長い長孔状に形成されているため、回動軸２２、２２はそれぞれ挿入孔２１ａ、２１ａにおいて上下方向へ移動可能とされ、回動軸２２、２２の移動に伴ってベース板１０が角度変更ベース１１に対して上下方向へ移動される。
【００９７】
支持ベース１２はアルミニウム等の金属材料によって上下に延びる起立部２３と起立部２３の上端部から前方へ突出された支持面部２４と起立部２３の下端部に設けられた下側被取付部２５とが一体に形成されて成る（図３及び図４参照）。
【００９８】
支持面部２４には上下に貫通された貫通孔２４ａと貫通孔２４ａの周囲に位置されたボス貫通孔２４ｂ、２４ｂ、２４ｂが周方向に離隔して形成されている。ボス貫通孔２４ｂ、２４ｂ、２４ｂは貫通孔２４ａを中心として周方向に延びる円弧状に形成されている。
【００９９】
下側被取付部２５には下方に開口され左右に延びる被取付溝２５ａが形成されている。下側被取付部２５には上下に貫通されたネジ孔２５ｂ、２５ｂが左右に離隔して形成され、ネジ孔２５ｂ、２５ｂはそれぞれ下側の開口が被取付溝２５ａに連通されている。下側被取付部２５には下方へ突出された位置決めピン２５ｃが設けられ、位置決めピン２５ｃは被取付溝２５ａに位置されている。
【０１００】
支持ベース１２は被取付溝２５ａに基部７が挿入されると共に位置決めピン２５ｃが位置決め穴７ｂに挿入され、第１の取付ネジ１０１、１０１がそれぞれネジ孔２５ｂ、２５ｂを挿入されネジ穴７ａ、７ａに螺合されることにより下側被取付部２５が保持部材３に取り付けられる。このとき位置決めピン２５ｃが位置決め穴７ｂに挿入されることにより、支持ベース１２の保持部材３に対する前後左右における位置決めが行われ、支持ベース１２が基部７の左右方向における中央部において起立部２３が略垂直な状態かつ支持面部２４が水平な状態で保持部材３に取り付けられる。
【０１０１】
摺動板１３は支持ベース１２における支持面部２４の上面に水平方向へ回動自在に支持される。摺動板１３は良好な摺動性を有する樹脂材料によって形成され、上下方向を向く板状の摺動面部２６と摺動面部２６の前側を除く周縁から上方へ突出された周面部２７とから成る。周面部２７は円弧状に形成されている。
【０１０２】
摺動面部２６には上方へ突出された円筒状の上側ボス部２６ａと下方へ突出された円筒状の下側ボス部２６ｂとが設けられ、上側ボス部２６ａと下側ボス部２６ｂが同軸上に設けられている。摺動面部２６には上側ボス部２６ａの周囲に位置されたボス挿入孔２６ｃ、２６ｃ、２６ｃが周方向に離隔して形成されている。摺動面部２６のボス挿入孔２６ｃ、２６ｃ、２６ｃ間にはそれぞれ上方へ突出された位置決め軸２６ｄ、２６ｄが設けられている。
【０１０３】
摺動板１３は下側ボス部２６ｂが貫通孔２４ａに挿入された状態で支持面部２４に下側ボス部２６ｂを支点として回動自在に支持される。
【０１０４】
回動板１４は支持ベース１２における支持面部２４の下面に水平方向へ回動自在に支持される。回動板１４は良好な摺動性を有する樹脂材料によって板状に形成されている。回動板１４には上下に貫通されたネジ部材挿通孔１４ａが形成されている。回動板１４にはネジ部材挿通孔１４ａの周囲に位置された挿入用ボス１４ｂ、１４ｂ、１４ｂが周方向に離隔して設けられている。挿入用ボス１４ｂ、１４ｂ、１４ｂは円筒状に形成され上方へ突出されている。
【０１０５】
回動板１４は挿入用ボス１４ｂ、１４ｂ、１４ｂがそれぞれ支持面部２４のボス貫通孔２４ｂ、２４ｂ、２４ｂと摺動板１３のボス挿入孔２６ｃ、２６ｃ、２６ｃに順に挿入された状態で支持面部２４にネジ部材挿通孔１４ａを支点として水平方向へ回動自在に支持される。
【０１０６】
回動板１４の挿入用ボス１４ｂ、１４ｂ、１４ｂがそれぞれ摺動板１３のボス挿入孔２６ｃ、２６ｃ、２６ｃに挿入されることにより、摺動板１３と回動板１４が結合され支持面部２４に対して一体になって水平方向へ回動される。
【０１０７】
ベース板１０と角度変更ベース１１はカバー体２８によって閉塞される（図３及び図１１参照）。カバー体２８は横長の矩形状に形成された第１の閉塞部２９と第１の閉塞部２９から後方へ突出された第２の閉塞部３０とが一体に形成されて成る。
【０１０８】
第１の閉塞部２９には前方に開口された浅い第１の閉塞用凹部２９ａが形成されている。第１の閉塞部２９には前後に貫通されたネジ止め孔２９ｂ、２９ｂ、・・・と前後に貫通された被取付孔２９ｃ、２９ｃ、２９ｃとが形成されている。
【０１０９】
第２の閉塞部３０には下方に開口された浅い第２の閉塞用凹部２９ｂが形成されている。
【０１１０】
第１の閉塞部２９には第２の閉塞部３０との連続した部分に連通孔２９ｄが形成され、連通孔２９ｄによって第１の閉塞用凹部２９ａと第２の閉塞用凹部３０ａが連通されている。
【０１１１】
ベース板１０は第１の閉塞用凹部２９ａに収納されることにより第１の閉塞部２９によって後方から閉塞され、角度変更ベース１１は連通孔２９ｄから挿入されて第２の閉塞用凹部３０ａに収納されることにより第２の閉塞部３０によって上方から閉塞される。
【０１１２】
このようにベース板１０と角度変更ベース１１がカバー体２８によって閉塞されることにより、ベース板１０及び角度変更ベース１１への塵埃の付着を防止することができる。
【０１１３】
摺動板１３と回動板１４が支持面部２４を挟んで結合された状態において、摺動板１３に角度変更ベース１１の被支持面部２０が取り付けられる（図３、図５及び図１１参照）。摺動板１３への被支持面部２０の取付は、位置決め軸２６ｄ、２６ｄがそれぞれ下方から位置決め孔２０ｃ、２０ｃに挿入されると共に上側ボス部２６ａが下方からボス挿通孔２０ａに挿入され、第２の取付ネジ１０２、１０２、１０２がそれぞれ回動板１４の挿入用ボス１４ｂ、１４ｂ、１４ｂを挿入され螺孔２０ｂ、２０ｂ、２０ｂに螺合されることにより行われる。従って、摺動板１３、回動板１４、角度変更ベース１１及びベース板１０は支持ベース１２の支持面部２４に対して一体になって水平方向へ回動される。
【０１１４】
摺動板１３に被支持面部２０が取り付けられた状態においては、ネジ部材２００が回動板１４のネジ部材挿通孔１４ａと摺動板１３の下側ボス部２６ｂとに順に挿通され摺動板１３の上側ボス部２６ａに螺合される。摺動板１３に被支持面部２０が取り付けられた状態においては、周面部２７が被支持面部２０の外周面の外側に沿って位置される。
【０１１５】
ベース板１０は第３の取付ネジ１０３、１０３がそれぞれネジ挿通切欠１５ａ、１５ａに挿入されて筐体５の取付部５ｂに形成されたネジ止め穴５ｃ、５ｃに螺合されることによりディスプレイ２に取り付けられる。
【０１１６】
また、カバー体２８は被取付孔２９ｃ、２９ｃ、２９ｃにそれぞれ第４の取付ネジ１０４、１０４、１０４が挿通されて筐体５の取付部５ｂに形成されたネジ止め穴５ｃ、５ｃ、５ｃに螺合されることによりディスプレイ２に取り付けられ、ベース板１０と角度変更ベース１１がカバー体２８によって閉塞される（図３及び図１１参照）。このとき第４の取付ネジ１０４、１０４、１０４はそれぞれ角度変更ベース１０のネジ挿通孔１５ｂ、１５ｂ、１５ｂに挿通された状態でネジ止め穴５ｃ、５ｃ、５ｃに螺合される。従って、第４の取付ネジ１０４、１０４、１０４によってカバー体２８がディスプレイ２に取り付けられると同時に第４の取付ネジ１０４、１０４、１０４によってベース板１０がディスプレイ２に取り付けられる。
【０１１７】
［表示装置の動作等］
上記のように構成された表示装置１にあっては、以下のように、角度変更ベース１１のベース板１０に対する結合位置を変更することによりディスプレイ２のチルト方向における傾斜角度を変更することが可能とされている。
【０１１８】
例えば、図１２及び図１３に示すように、変更用取付ネジ３００、３００をそれぞれ角度変更ベース１１の第１の結合部１８に形成された第１の結合孔１８ａ、１８ａに挿入してベース板１０の上側螺孔１５ｃ、１５ｃに螺合し第１の結合部１８をベース板１０に取り付けることにより、第１の傾斜角度でディスプレイ２を保持することができる（図１４参照）。このときベース板１０は第１の回動位置に保持される。第１の傾斜角度はディスプレイ２の表示面６が上斜め前方を向く角度であり、垂直方向に対して、例えば、６°傾斜された角度である。
【０１１９】
また、変更用取付ネジ３００、３００による第１の結合部１８のベース板１０に対する結合を解除し、ベース板１０を角度変更ベース１１に対して回動軸２２、２２を支点として第２の回動位置まで回動する。ベース板１０が第２の回動位置まで回動された状態において、図１５及び図１６に示すように、変更用取付ネジ３００、３００をそれぞれ角度変更ベース１１の第２の結合部１９に形成された第２の結合孔１９ａ、１９ａに挿入してベース板１０の下側螺孔１５ｄ、１５ｄに螺合し第２の結合部１９をベース板１０に取り付けることにより、表示面６が水平方向を向く角度でディスプレイ２を保持することができる（図１７参照）。
【０１２０】
表示装置１にあっては、上記した二つの角度でディスプレイ２が保持された何れの状態においても、ディスプレイ２の接触部５ａの左右両側の部分がスタンド４の下側被取付部２５の前方においてそれぞれ保持部材３の側部８、８に接した状態とされる（図１３、図１４、図１６及び図１７参照）。
【０１２１】
上記したように、ディスプレイ２のチルト方向における傾斜角度を変更するときには、ベース板１０が角度変更ベース１１に対して回動軸２２、２２を支点として回動されるため、接触部５ａの保持部材３に対する上下方向における位置が変化する。しかしながら、表示装置１にあっては、上記したように、連結部２１、２１の挿入孔２１ａ、２１ａが上下に長い長孔状に形成されているため、ベース板１０は回動軸２２、２２とともに上下方向へ移動可能とされている。従って、ベース板１０の角度変更ベース１１に対する回動時には、回動軸２２、２２とベース板１０とディスプレイ２が一体になって角度変更ベース１１に対して上下方向へ移動され、ディスプレイ２の傾斜角度に拘わらず接触部５ａがそれぞれ保持部材３の側部８、８に接した状態とされる。
【０１２２】
表示装置１にあっては、上記したように、ディスプレイ２のチルト方向における傾斜角度に拘わらず接触部５ａが保持部材３に接するため、接触部５ａの保持部材３に対する接触位置とスタンド４の下側被取付部２５とが前後に離隔して位置されたディスプレイ２を支える支点として常に機能し、ディスプレイ２の傾斜角度に拘わらずディスプレイ２の保持状態の安定化を図ることができる。
【０１２３】
また、角度変更ベース１１の第１の結合部１８と第２の結合部１９がベース板１０に選択的に結合されることによりディスプレイ２のチルト方向における傾斜角度が変更される。
【０１２４】
従って、角度変更ベース１１のベース板１０に対する結合位置を変更するだけでディスプレイ２のチルト方向における傾斜角度が変更されるため、ディスプレイ２の傾斜角度の変更を容易に行うことができる。
【０１２５】
尚、上記には、角度変更ベース１１に第１の結合部１８と第２の結合部１９の二つの結合部を設けてディスプレイ２を二つの異なる傾斜角度で変更可能とした例を示したが、角度変更ベースにチルト方向における向きが異なる三つ以上の結合部を設けてディスプレイ２を三つ以上の異なる傾斜角度で変更可能とすることも可能である。
【０１２６】
さらに、ベース板１０が角度変更ベース１１にチルト方向において回動可能に連結されているため、ディスプレイ２のチルト方向における傾斜角度の変更時においてベース板１０と角度変更ベース１１の結合が解除されることがなく、ディスプレイ２の傾斜角度の変更を容易かつ迅速に行うことができる。
【０１２７】
尚、表示装置１にあっては、ベース板１０が角度変更ベース１１にチルト方向において回動可能に連結されカバー体２８にネジ止め孔２９ｂ、２９ｂ、・・・が形成されているため、ベース板１０と角度変更ベース１１がカバー体２８に閉塞された状態において、角度変更ベース１１のベース板１０に対する結合位置を変更することが可能である。
【０１２８】
ベース板１０と角度変更ベース１１がカバー体２８に閉塞された状態における角度変更ベース１１のベース板１０に対する結合位置の変更は、ドライバー等の締結用治具４００によってネジ止め孔２９ｂ、２９ｂ、・・・に対して変更用取付ネジ４００、４００、・・・を挿入し又は取り出すことにより行うことができる（図１８参照）。
【０１２９】
具体的には、締結用治具４００をネジ止め孔２９ｂ、２９ｂに挿入して被取付部１５の上側螺孔１５ｃ、１５ｃ又は下側螺孔１５ｄ、１５ｄに対する変更用取付ネジ４００、４００、・・・の螺合を解除して変更用取付ネジ４００、４００をカバー体２８の外部に取り出す。次いで、締結用治具４００を別のネジ止め孔２９ｂ、２９ｂに挿入して被取付部１５の下側螺孔１５ｄ、１５ｄ又は上側螺孔１５ｃ、１５ｃに変更用取付ネジ４００、４００、・・・を螺合することにより、角度変更ベース１１のベース板１０に対する結合位置を変更することができる。
【０１３０】
このようにベース板１０と角度変更ベース１１がカバー体２８に閉塞された状態において、角度変更ベース１１のベース板１０に対する結合位置を変更することにより、カバー体２８をディスプレイ２から取り外すことなく結合位置の変更を行うことができる。従って、角度変更ベース１１のベース板１０に対する結合位置の変更を容易かつ迅速に行うことができる。
【０１３１】
また、連結部２１、２１の挿入孔２１ａ、２１ａが上下に長い長孔状に形成され、ディスプレイ２の傾斜角度の変更時にベース板１０が回動軸２２、２２とともに上下方向へ移動されるため、ディスプレイ２の傾斜角度に拘わらずディスプレイ２の接触部５ａを保持部材３に確実に接触させることができる。
【０１３２】
さらに、保持部材３として左右に延びる基部７と基部７の左右両端部から前方へ延びる一対の側部８、８とから成る軸状の部材を設け、基部７の左右方向における中央部にスタンド４の下側被取付部２５が取り付けられているため、ディスプレイ２の保持状態の安定化を図ることができる。
【０１３３】
さらにまた、ディスプレイ２の接触部５ａが保持部材３に２箇所で接触されるため、スタンド４の下側被取付部２５と合わせてディスプレイ２が３箇所で支持されるため、ディスプレイ２の保持状態の一層の安定化を図ることができる。
【０１３４】
また、ディスプレイ２の接触部５ａにおける保持部材３に対する接触位置が左右方向において離隔する位置とされているため、下側被取付部２５と合わせてディスプレイ２が三角形の頂点となる３箇所で支持され、ディスプレイ２の保持状態の一層の安定化を図ることができる。
【０１３５】
加えて、ディスプレイ２のチルト方向における傾斜角度が、表示面６が正面を向く０°（水平方向）と表示面６が正面より上方を向く他の角度、例えば、６°とにされているため、表示面６に表示される画像を視認性の高い角度で選択して見ることができる。
【０１３６】
尚、ディスプレイ２のチルト方向における傾斜角度は０°と６°に限られることはなく、任意の角度に設定することが可能である。
【０１３７】
表示装置１においては、上記したように、摺動板１３、回動板１４、角度変更ベース１１及びベース板１０が支持ベース１２の支持面部２４に対して一体になって水平方向へ回動可能とされている。従って、摺動板１３、回動板１４、角度変更ベース１１及びベース板１０が回動されるときには、ベース板１０が取り付けられたディスプレイ２も水平方向へ回動され、表示面６の向きを水平方向において変更することが可能である（図１９及び図２０参照）。
【０１３８】
ディスプレイ２の水平方向への回動は、回動板１４の挿入用ボス１４ｂ、１４ｂ、１４ｂがそれぞれ支持ベース１２の支持面部２４に形成されたボス貫通孔２４ｂ、２４ｂ、２４ｂの長い手方向における一方の端縁に接触する位置（図１９参照）と長手方向における他方の端縁に接触する位置（図２０参照）との間で行うことが可能である。
【０１３９】
このようにディスプレイ２が水平方向へ回動可能とされているため、表示面６に表示される画像を視認性の高い角度で選択して見ることができる。
【０１４０】
また、角度変更ベース１１が支持ベース１２に水平方向へ回動自在に支持されているため、ディスプレイ２のチルト方向への回動（傾斜角度の変更）と水平方向への回動とが同一の部品である角度変更ベース１１によって行われ、部品点数の削減及び機構の簡素化を図ることができる。
【０１４１】
さらに、角度変更ベース１１と支持ベース１２の間に樹脂材料によって形成された摺動板１３を配置し、ディスプレイ２の水平方向への回動時に角度変更ベース１１と摺動板１３が支持ベース１２の支持面部２４に対して一体になって回動されるようにしている。
【０１４２】
従って、樹脂材料によって形成された摺動板１３が支持面部２４に摺動されるため、摺動板１３の支持面部２４に対する良好な摺動性が確保され、ディスプレイ２を水平方向へ円滑に回動させることができる。
【０１４３】
さらにまた、支持ベース１２の支持面部２４を挟んで角度変更ベース１１の反対側に配置される回動板１４を設け、支持面部２４を挟んで角度変更ベース１１と回動板１４を回動支点において一本のネジ部材２００によって結合している。
【０１４４】
従って、回動支点においてネジ部材２００によって角度変更ベース１１と回動板１４を結合することによりディスプレイ２を水平方向へ回動させる回動機構が構成されるため、回動機構における部品点数の削減及び構成の簡素化を図ることができる。
【０１４５】
加えて、角度変更ベース１１と支持面部２４の間に配置される摺動板１３と支持面部２４を挟んで摺動板１３の反対側に配置される回動板１４とが何れも樹脂材料によって形成され両者が一体になって回動される。従って、摺動板１３及び回動板１４の支持面部２４に対する良好な摺動性が確保され、ディスプレイ２を水平方向へ一層円滑に回動させることができる。
【０１４６】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０１４７】
【図１】図２乃至図２０と共に本発明の最良の形態を示すものであり、本図は、表示装置の斜視図である。
【図２】表示装置の背面側を示す斜視図である。
【図３】表示装置の分解斜視図である。
【図４】表示装置のスタンドと保持部材を示す分解斜視図である。
【図５】スタンドがディスプレイと保持部材に取り付けられている状態を示す拡大斜視図である。
【図６】ベース板と角度変更ベースを示す拡大分解斜視図である。
【図７】角度変更ベースの拡大断面図である。
【図８】角度変更ベースの第１の結合部がベース板に結合されベース板が第１の回動位置に保持されている状態を示す拡大断面図である。
【図９】角度変更ベースの第２の結合部がベース板に結合されベース板が第２の回動位置に保持されている状態を示す拡大断面図である。
【図１０】カバー体の拡大斜視図である。
【図１１】ベース板と角度変更ベースがカバー体に閉塞された状態を示す拡大断面図である。
【図１２】角度変更ベースの第１の結合部がベース板に結合される状態を示す拡大分解斜視図である。
【図１３】角度変更ベースの第１の結合部がベース板に結合された状態を示す拡大断面図である。
【図１４】ディスプレイが傾斜された状態で保持されている状態を示す側面図である。
【図１５】角度変更ベースの第２の結合部がベース板に結合される状態を示す拡大分解斜視図である。
【図１６】角度変更ベースの第２の結合部がベース板に結合された状態を示す拡大断面図である。
【図１７】ディスプレイが水平な状態で保持されている状態を示す側面図である。
【図１８】ベース板と角度変更ベースがカバー体に閉塞されている状態において、角度変更ベースのベース板に対する結合位置の変更を行う状態を示す斜視図である。
【図１９】ディスプレイが水平方向における一方へ回動された状態を示す斜視図である。
【図２０】ディスプレイが水平方向における他方へ回動された状態を示す斜視図である。
【符号の説明】
【０１４８】
１…表示装置、２…ディスプレイ、３…保持部材、４…スタンド、５ａ…接触部、６…表示面、７…基部、８…側部、１０…ベース板、１１…角度変更ベース、１２…支持ベース、１３…摺動板、１４…回動板、１５…被取付部（上側被取付部）、１６…連結用突部、１６ａ…支持孔、１８…第１の結合部、１９…第２の結合部、２０…被支持面部、２１…連結部、２１ａ…挿入孔、２２…回動軸、２５…下側被取付部、２８…カバー体、２９ｃ…ネジ止め孔、１００…載置面、２００…ネジ部材、３００…変更用取付ネジ
【図１】
2012120125.tif 000003
【図２】
2012120125.tif 000004
【図３】
2012120125.tif 000005
【図４】
2012120125.tif 000006
【図５】
2012120125.tif 000007
【図６】
2012120125.tif 000008
【図７】
2012120125.tif 000009
【図８】
2012120125.tif 000010
【図９】
2012120125.tif 000011
【図１０】
2012120125.tif 000012
【図１１】
2012120125.tif 000013
【図１２】
2012120125.tif 000014
【図１３】
2012120125.tif 000015
【図１４】
2012120125.tif 000016
【図１５】
2012120125.tif 000017
【図１６】
2012120125.tif 000018
【図１７】
2012120125.tif 000019
【図１８】
2012120125.tif 000020
【図１９】
2012120125.tif 000021
【図２０】
2012120125.tif 000022